(57)【要約】      （修正有）【課題】マルチメディア再生・アクセス機能付ペーパーホルダの提供。【解決手段】固定体上に回路板を設け、蓋体で該回路板上を覆い、その側面の側面収納槽内部にスピーカ装置を設け、その外部をカバーで覆って成り、そのうち、回路板にマイクロプロセッサ、伝送制御回路、制御ボタン、液晶モニタ、ワイヤレス伝送回路、挿入槽、電源孔、伝送コネクタ、ワイヤレス送受信器、伝送インターフェース、接続器、サウンドソースプラグ、電池を設け、そのうち、電源孔と接続器をペーパーホルダの本体上に設置し、挿入槽はメモリカードの規格に対応して複数組設け、それぞれ対応する規格のメモリカードを挿入し、メモリカード内部のデジタルファイルとマルチメディアファイルに対しアクセスと伝送を行う。【選択図】図３
0003115930.tif 000002
【実用新案登録請求の範囲】
【請求項１】
固定体上に回路板を設け、蓋体で該回路板上を覆い、その側面の側面収納槽内部にスピーカ装置を設け、その外部をカバーで覆って成るマルチメディア再生・アクセス機能付ペーパーホルダであって、該回路板にマイクロプロセッサ、伝送制御回路、制御ボタン、液晶モニタ、ワイヤレス伝送回路、挿入槽、電源孔、伝送コネクタ、ワイヤレス送受信器、伝送インターフェース、接続器、サウンドソースプラグ、電池を設け、そのうち、該電源孔と接続器をマルチメディア再生・アクセス機能付ペーパーホルダの本体上に設置し、該挿入槽はメモリカードの規格に対応して複数組設け、それぞれ対応する規格のメモリカードを挿入できるようにし、該メモリカード内部のデジタルファイルとマルチメディアファイルに対しアクセスと伝送を行い、該ワイヤレス伝送回路はワイヤレス送受信器に接続し、そのワイヤレスネットワークとワイヤレス送受信デバイス間でワイヤレス信号を伝送してデジタルファイルとマルチメディアファイルのアクセスと伝送を行い、該伝送コネクタは、一端を蓋体内部に設置し、別の一端を回路板上に設置して、直接デジタル情報デバイスと相互接続し、デジタル情報デバイス内部のデジタルファイルとマルチメディアファイルに対しアクセスと伝送を行い、該伝送インターフェースは、データが保存されたハードディスクの規格に対応して接続し、且つ、ハードディスク内部のデジタルファイルとマルチメディアファイルに対しアクセスと伝送を行い、該伝送制御回路は、上述の挿入槽、ワイヤレス伝送回路、伝送コネクタ、伝送インターフェースと接続し、且つ、接続されたメモリカード、ワイヤレス受信器、デジタル情報デバイス、ハードディスク間でデジタルファイルとマルチメディアファイルのアクセスと伝送を行い、該液晶モニタは、上述の各アイテム間の接続状態と、上述の各アイテム間の対応するデータ処理機能を表示し、制御ボタンでデータ処理機能に対応して選択を行い、同時に制御信号をマイクロプロセッサに伝送し、該マイクロプロセッサは、上述の回路板内部の構成部品間の制御信号、データ伝送信号及びデータの演算処理を行い、さらに、該マルチメディア再生・アクセス機能付ペーパーホルダと相互に接続し、固定するために用いるアームと、該アーム前端に設置され、且つ、回路板とマルチメディア再生・アクセス機能付ペーパーホルダ本体上に設置された伝送接続器と相互に接続する固定プラグを備えたタッチパネルを設置し、同時に、該タッチパネルは、上述のマイクロプロセッサと伝送制御回路と相互接続され、且つ、表示したデータ処理機能が対応する制御信号を上述のマイクロプロセッサ内に伝送し、上述の伝送制御回路が伝送するデジタルファイルとマルチメディアファイルに対応して再生を行い、且つ、デジタルファイルとマルチメディアファイルをさらに上述の液晶モニタ上に表示すると共に、音声のデジタルファイルとマルチメディアファイルはスピーカ装置で音声信号を再生し、該スピーカ装置は回路板のサウンドソースプラグと相互接続される接続端を備え、該電源孔はAC/DCアダプタと相互接続され、外部電源を回路板に送り、該回路板の作業電力を提供し、且つ、該回路板上に設置された電池は、外部電力がないときに該回路板を正常に動作さ���るために用いられ、且つ、該電源孔を介し充電できることを特徴とする、マルチメディア再生・アクセス機能付ペーパーホルダ。
【請求項２】
記伝送制御回路をUSB-OTG(Universal Serial Bus-ON-TO-GO)及び関連する伝送インターフェース統合制御回路とした、請求項１に記載のマルチメディア再生・アクセス機能付ペーパーホルダ。
【請求項３】
前記挿入槽が、CFカード(Compact Flash Memory Card)、Type-I CFカード(Compact Flash Memory
Card)、Type-II CFカード(Compact Flash Memory Card)、MSカード(Memory Stick Memory Card)、MGMS(Magic
Gate Memory Stick Memory Card)、Dou-MSカード(Duo Memory Stick Memory Card)、Pro-MSカード(Pro
Memory Stick Memory Card)、MMCカード(Multi Media Memory Card)、MMC４.０カード(Multi Media
Memory Card Ver ４.０)、RSMMCカード(Reduced Size Multi Media Memory Card)、SDカード(Secure
Digital Memory Card)、Mini SDカード(Mini Secure Digital Memory Card)、SMカード(Smart Media（登録商標）
Memory Card)、Xdカード(eXtreme Digital Picture Memory Card)及び関連情報デジタル保存メディアの規格フォーマット等のメモリカードの規格と互換性を持つよう対応して設置された、請求項１に記載のマルチメディア再生・アクセス機能付ペーパーホルダ。
【請求項４】
前記伝送コネクタをUSB接続ポート(Universal Serial Bus)、IEEE１３９４(Institute of Electrical and
Electronic Engineers Standard Bus Interface)、SATA(Serial Advanced Technology
Attachment)及び関連するデジタルデータ伝送接続ポートとした、請求項１に記載のマルチメディア再生・アクセス機能付ペーパーホルダ。
【請求項５】
前記ワイヤレス伝送回路とワイヤレス送受信器が、異なるワイヤレス伝送信号に対応し、赤外線、ブルートゥース、FM(Frequency Modulation)、AM(Amplitude Modulation)、GPRS(General
Packet Radio Service)、CDMA(Code Division Multiple Access)、GSM(Global System for
Mobile Communications)及び関連するワイヤレス信号伝送技術に応用される伝送信号を使用し、且つ、その対応して接続されたワイヤレスネットワークが、８０２.１１ワイヤレスネットワーク及び赤外線伝送ネットワーク、ブルートゥース伝送ネットワーク、上述のワイヤレス信号伝送技術ネットワーク及び関連するワイヤレス伝送方式で接続する広義のワイヤレスネットワークである、請求項１に記載のマルチメディア再生・アクセス機能付ペーパーホルダ。
【請求項６】
前記伝送インターフェースをハードディスクの規格に対応し、IDEインターフェース(Integrated Device Electronics)、SCSIインターフェース(Small
Computer Standard Interface)、SATAインターフェース(Serial Advanced Technology
Attachment)及び関連するハードディスク伝送接続インターフェースとした、求項１に記載のマルチメディア再生・アクセス機能付ペーパーホルダ。
【考案の詳細な説明】
【技術分野】
【０００１】
本考案は、マルチメディア再生・アクセス機能付ペーパーホルダに関し、内部の回路板がデジタル情報デバイス(PDA、USBメモリ、カードリーダ等)、メモリカード、ワイヤレスネットワーク、ワイヤレス送受信デバイスと相互に接続でき、且つ、相互にデジタルファイルやマルチメディアファイルを伝送するための伝送コネクタ、挿入槽、ワイヤレス送受信器を備え、また、内部にデジタルファイルとマルチメディアファイルを保存可能なハードディスクを備え、さらに、タッチパネルと制御ボタンを介し、上述の各接続部品に対しデータ処理制御を行い、タッチパネル、液晶モニタ、スピーカ装置で対応するデジタルファイルやマルチメディアファイルを再生することができる、マルチメディア再生・アクセス機能付ペーパーホルダに関する。
【０００２】
さらに、本考案のマルチメディア再生・アクセス機能付ペーパーホルダは、その回路板の伝送制御回路が上述の挿入槽、ワイヤレス伝送回路、伝送コネクタ、伝送インターフェースと接続され、且つ、その接続されたメモリカード、ワイヤレス受信器、デジタル情報デバイスとハードディスク間でデジタルファイルやマルチメディアファイルのアクセスと伝送を行うことができる。
【０００３】
そのうち、液晶モニタは上述の各アイテム間の接続状態と、上述の各アイテム間に対応するデータ処理機能を表示し、制御ボタンで対応するデータ処理機能の選択を行うことができ、同時に、制御信号をマイクロプロセッサに伝送する。
【０００４】
また、タッチパネルは、マルチメディア再生・アクセス機能付ペーパーホルダと相互に接続し固定するためのアームと、このアームの前端に設置され、且つ、回路板とマルチメディア再生・アクセス機能付ペーパーホルダ本体上に設置された伝送接続器と相互に接続される固定プラグを有する。
【０００５】
回路板内部のマイクロプロセッサは、上述の回路板内部の構成部品間の制御信号、データ伝送信号及びデータの演算処理を行う。
【０００６】
同時に、外部に接続したタッチパネルは、上述のマイクロプロセッサ及び伝送制御回路と相互に接続され、且つ、表示されたデータ処理機能が対応する制御信号を上述のマイクロプロセッサ内に伝送し、また、上述の伝送制御回路が伝送するデジタルファイルとマルチメディアファイルに対応して再生し、且つ、上述の液晶モニタ上にデジタルファイルとマルチメディアファイルを表示でき、音声のデジタルファイルとマルチメディアファイルはスピーカ装置で音声信号を再生する。
【背景技術】
【０００７】
図１に示すように、従来のペーパーホルダAは内部にロールペーパーBが装着され、使用時には使用者が直接ロールペーパーBを引き出すようになっている。
【０００８】
また、一般的なロールペーパーBを装着するためのペーパーホルダAは、そのほとんどが化粧室内で使用され、トイレを使用するとき、多くの人は新聞や雑誌等書物を読むことを選択するが、化粧室の照明は単純な照明が使用されているだけであるため、目が痛くなる現象が容易に発生する。
【０００９】
さらに、ロールペーパーBが使用するペーパーホルダAは、その使用範囲が幅広く、台所や寝室、居間、化粧室、一般家庭、会社内、さらには旅館等公共の場所等でも使用され、且つ、ペーパーホルダAが設置された場所のほとんどは個人が使用する空間であるため、いかに上述の場所で新聞や雑誌を読むという単一的な活動しかできない情況を変え、同時にペーパーホルダの使用機能を高めるかが、本考案が解決する技術的問題点である。
【考案の開示】
【考案が解決しようとする課題】
【００１０】
本考案の目的は、上述の問題を解決し、デジタル情報デバイスと接続でき、マルチメディアファイルの再生や関連データを表示でき、さらにワイヤレス送受信によるデータ伝送機能を備え、生活と使用上の利便性と娯楽性を向上できる、マルチメディア再生・アクセス機能付ペーパーホルダを提供することにある。
【課題を解決するための手段】
【００１１】
本考案のマルチメディア再生・アクセス機能付ペーパーホルダは、固定体上に回路板を設け、蓋体で該回路板上を覆い、その側面の側面収納槽内部にスピーカ装置を設け、その外部をカバーで覆って成り、そのうち、回路板にマイクロプロセッサ、伝送制御回路、制御ボタン、液晶モニタ、ワイヤレス伝送回路、挿入槽、電源孔、伝送コネクタ、ワイヤレス送受信器、伝送インターフェース、接続器、サウンドソースプラグ、電池を設け、そのうち、電源孔と接続器をマルチメディア再生・アクセス機能付ペーパーホルダの本体上に設置し、挿入槽はメモリカードの規格に対応して複数組設け、それぞれ対応する規格のメモリカードを挿入し、メモリカード内部のデジタルファイルとマルチメディアファイルに対しアクセスと伝送を行い、ワイヤレス伝送回路はワイヤレス送受信器に接続し、そのワイヤレスネットワークとワイヤレス送受信デバイス間でワイヤレス信号を伝送してデジタルファイルとマルチメディアファイルのアクセスと伝送を行い、伝送コネクタは、一端を蓋体内部に設置し、別の一端を回路板上に設置して、直接デジタル情報デバイスと相互接続し、デジタル情報デバイス内部のデジタルファイルとマルチメディアファイルに対しアクセスと伝送を行い、伝送インターフェースは、データが保存されたハードディスクの規格に対応して接続し、且つ、ハードディスク内部のデジタルファイルとマルチメディアファイルに対しアクセスと伝送を行い、該伝送制御回路は、上述の挿入槽、ワイヤレス伝送回路、伝送コネクタ、伝送インターフェースと接続し、且つ、接続されたメモリカード、ワイヤレス受信器、デジタル情報デバイス、ハードディスク間でデジタルファイルとマルチメディアファイルのアクセスと伝送を行い、液晶モニタは、上述の各アイテム間の接続状態と、上述の各アイテム間の対応するデータ処理機能を表示し、制御ボタンでデータ処理機能に対応して選択を行い、同時に制御信号をマイクロプロセッサに伝送し、マイクロプロセッサは、上述の回路板内部の構成部品間の制御信号、データ伝送信号及びデータの演算処理を行い、さらに、マルチメディア再生・アクセス機能付ペーパーホルダと相互に接続し、固定するために用いるアームと、このアーム前端に設置され、且つ、回路板とマルチメディア再生・アクセス機能付ペーパーホルダ本体上に設置された伝送接続器と相互に接続する固定プラグを備えたタッチパネルを設置し、同時に、このタッチパネルは、上述のマイクロプロセッサと伝送制御回路と相互接続され、且つ、表示したデータ処理機能が対応する制御信号を上述のマイクロプロセッサ内に伝送し、上述の伝送制御回路が伝送するデジタルファイルとマルチメディアファイルに対応して再生を行い、且つ、デジタルファイルとマルチメディアファイルをさらに上述の液晶モニタ上に表示すると共に、音声のデジタルファイルとマルチメディアファイルはスピーカ装置で音声信号を再生し、このスピーカ装置は回路板のサウンドソースプラグと相互接続される接続端を備え、電源孔はAC/DCアダプタと相互接続され、外部電源を回路板に送り、回路板の作業電力を提供し、且つ、回路板上に設置された電池は、外部電力がないときに該回路板を正常に動作させるために用いられ���且つ、電源孔を介し充電できることを特徴とする。        
【考案の効果】
【００１２】
本考案の進歩性と実用性をよりはっきりと示すため、以下、従来品と比較して分析する。
<従来品の欠点>
１、ペーパーホルダは別途特殊な用途がない。
２、化粧室等のペーパーホルダを使用する場所では、新聞や雑誌等の刊行物を読むことしかできない。
３、上述を受け、その照明は閲読に適しておらず、目の不快感を生む。
４、ペーパーホルダは生活上の利便性と娯楽性を向上することができない。
【００１３】
<本考案の利点>
１、デジタル情報デバイスと接続できる。
２、マルチメディアファイルを再生できる。
３、マルチメディアファイルの関連データを表示できる。
４、ワイヤレスネットワークと接続できる。
５、ワイヤレス送受信によるデータ伝送機能を備えている。
６、生活と使用上の利便性と娯楽性を向上できる。
７、生活環境の品質を向上できる。
８、日常生活で使用する物品とハイテク製品を結合している。
９、進歩性、実用性、娯楽性を備えている。
１０、産業的競争力を向上できる。
【実施例１】
【００１４】
本考案のマルチメディア再生・アクセス機能付ペーパーホルダは、図２及び図３に示すように、マルチメディア再生・アクセス機能付ペーパーホルダCの固定体C２上に回路板Dを設け、蓋体C１を回路板D上に被せ、その側面収納槽C３内部にスピーカ装置Gを設置し、外部をカバーC３１で覆ったものである(図４及び図５も参照)。
【００１５】
回路板DはマイクロプロセッサD１、伝送制御回路D２、制御ボタンD３、液晶モニタD４、ワイヤレス伝送回路D５、挿入槽D６、電源孔D７、伝送コネクタD８、ワイヤレス送受信器D９、伝送インターフェースD１０、接続器D１１、サウンドソースプラグD１２、電池D１３を備え、そのうち、電源孔D７と接続器D１１はマルチメディア再生・アクセス機能付ペーパーホルダC本体上に設置される。
【００１６】
そのうち、メモリカードIの規格に対応して複数組の挿入槽D６を設け、それぞれ対応する規格のメモリカードIを挿入し、且つ、上述のメモリカードI内部のデジタルファイルとマルチメディアファイルに対しアクセスと伝送を行う。
【００１７】
そのうち、ワイヤレス伝送回路D５は、ワイヤレス送受信器D９に接続され、ワイヤレスネットワークJとワイヤレス送受信デバイスK間でワイヤレス信号J１を伝送可能にし、デジタルファイルとマルチメディアファイルのアクセスと伝送を行うことができる。
【００１８】
そのうち、伝送コネクタD８はその一端が蓋体C１内部に設置され、別の一端が回路板D上に設置されて、直接デジタル情報デバイスHと相互に接続し、デジタル情報デバイスH内部のデジタルファイルとマルチメディアファイルに対しアクセスと伝送を行う。
【００１９】
そのうち、伝送インターフェースD１０は、データを保存するハードディスクFの規格に対応して接続し、且つ、ハードディスクF内部のデジタルファイルとマルチメディアファイルに対しアクセスと伝送を行う。
【００２０】
そのうち、伝送制御回路D２は、上述の挿入槽D６、ワイヤレス伝送回路D５、伝送コネクタD８、伝送インターフェースD１０と接続され、且つ、その対応して接続されたメモリカードI、ワイヤレス受信器D９、デジタル情報デバイスHとハードディスクF間でデジタルファイルとマルチメディアファイルのアクセスと伝送を行う。
【００２１】
そのうち、液晶モニタD４は、上述の各アイテム間の接続状態と、上述の各アイテム間の対応するデータ処理機能を表示し、制御ボタンD３でデータ処理機能に対応して選択を行い、同時に、制御信号をマイクロプロセッサD１に伝送する。
【００２２】
そのうち、マイクロプロセッサD１は、上述の回路板D内部の構成部品間の制御信号、データ伝送信号及びデータの演算処理を行う。
【００２３】
また、タッチパネルEは、マルチメディア再生・アクセス機能付ペーパーホルダCと相互に接続し、固定するために用いるアームE１と、このアームE１前端に設置され、且つ、回路板Dとマルチメディア再生・アクセス機能付ペーパーホルダC本体上に設置された伝送接続器D１１と相互に接続する固定プラグE２を有する。
【００２４】
同時に、タッチパネルEは、上述のマイクロプロセッサD１と伝送制御回路D２と相互接続され、且つ、表示したデータ処理機能が対応する制御信号を上述のマイクロプロセッサD１内に伝送し、上述の伝送制御回路D２が伝送するデジタルファイルとマルチメディアファイルに対応して再生を行い、且つ、デジタルファイルとマルチメディアファイルをさらに上述の液晶モニタD４上に表示すると共に、音声のデジタルファイルとマルチメディアファイルはスピーカ装置Gで音声信号を再生する。
【００２５】
そのうち、上述のスピーカ装置Gは、回路板DのサウンドソースプラグD１２と相互に接続される接続端G１を有する。
【００２６】
電源孔D７はAC/DCアダプタと相互に接続され、外部電源を回路板Dに送り、上述の回路板Dの作業電力を提供し、且つ、回路板D上に設置した電池D１３は、外部電力がないときに、上述の回路板Dに正常な動作をさせるために用い、且つ、上述の電源孔D７を介して充電することができる。
【００２７】
図６に示すように(図４も参照)、メモリカードIはその規格に対応する挿入槽D６内に挿入され、また、デジタル情報デバイスHは接続槽C１１内部の伝送コネクタD８上に挿入され、且つ、USBメモリH１はその他の伝送コネクタD８上に挿入される。
【００２８】
また、マルチメディア再生・アクセス機能付ペーパーホルダC内部の回路板Dには、ワイヤレス伝送回路D５とワイヤレス送受信器D９が設置されており、ワイヤレスネットワークJとワイヤレス送受信デバイスKを備えたパーソナルコンピュータK１などの設備とワイヤレス信号J１でデータ伝送とアクセスを行うことができる。
【００２９】
上述の接続において、タッチパネルEと制御ボタンD３を介し、デジタル情報デバイスH、USBメモリH１、メモリカードI、ワイヤレスネットワークJ、パーソナルコンピュータK１等の上述の各装置間でデータの変換やアクセス、編集、再生などの関連制御を行うことができ、同時に、マルチメディア再生・アクセス機能付ペーパーホルダ内部のハードディスクFは、伝送制御回路D２を介しさらに上述の接続された各装置とデータ伝送及びアクセスを行うことができる。さらに、タッチパネルEと液晶モニタD４は、再生するデジタルファイルとマルチメディアファイルの内容を表示でき、さらにスピーカ装置Gで音声信号を再生することができる。
【００３０】
そのうち、挿入槽D６は、CFカード(Compact Flash Memory Card)、Type-I CFカード(Compact Flash
Memory Card)、Type-II CFカード(Compact Flash Memory Card)、MSカード(Memory Stick Memory
Card)、MGMS(Magic Gate Memory Stick Memory Card)、Dou-MSカード(Duo Memory Stick
Memory Card)、Pro-MSカード(Pro Memory Stick Memory Card)、MMCカード(Multi Media Memory
Card)、MMC４.０カード(Multi Media Memory Card Ver ４.０)、RSMMCカード(Reduced Size Multi
Media Memory Card)、SDカード(Secure Digital Memory Card)、Mini SDカード(Mini Secure
Digital Memory Card)、SMカード(Smart Media（登録商標） Memory Card)、Xdカード(eXtreme Digital
Picture Memory Card)及び関連する情報デジタル保存メディアの規格フォーマット等のメモリカードの規格と互換性を持つよう対応して設置する。
【００３１】
そのうち、伝送コネクタD８はさらにUSB接続ポート(Universal Serial Bus)、IEEE１３９４(Institute of
Electrical and Electronic Engineers Standard Bus Interface)、SATA(Serial
Advanced Technology Attachment)及び関連デジタルデータ伝送接続ポートとする。
【００３２】
そのうち、ワイヤレス伝送回路D５とワイヤレス送受信器D９は、異なるワイヤレス伝送信号J１に対応し、赤外線、ブルートゥース、FM(Frequency
Modulation)、AM(Amplitude Modulation)、GPRS(General Packet Radio Service)、CDMA(Code
Division Multiple Access)、GSM(Global System for Mobile Communications)及び関連するワイヤレス信号伝送技術に応用される伝送信号を使用するよう設ける。
【００３３】
且つ、その対応して接続されたワイヤレスネットワークJはさらに８０２.１１ワイヤレスネットワーク及び関連するワイヤレス伝送方式で接続する広義のワイヤレスネットワークとして設ける。
そのうち、伝送インターフェースD１０は、ハードディスクFの規格に対応し、IDEインターフェース(Integrated Device Electronics)、SCSIインターフェース(Small Computer Standard Interface)、SATAインターフェース(Serial Advanced Technology Attachment)及び関連するハードディスク伝送接続インターフェースとして設ける。
【００３４】
そのうち、接続するデジタル情報デバイスはさらにPDA(Personal
Digital Assistant)、USBメモリ、カードリーダ、マルチメディアプレイヤー及び関連するデジタル情報デバイスとする。
そのうち、伝送制御回路D２はさらにUSB-OTG(Universal
Serial Bus-ON-TO-GO)及び関連する伝送インターフェース統合制御回路として設ける。
【実施例２】
【００３５】
図７及び図８に別の形態下のマルチメディア再生・アクセス機能付ペーパーホルダLを示す。このマルチメディア再生・アクセス機能付ペーパーホルダLは、固定体L２上に回路板Dを設け、蓋体L１を回路板D上に被せ、その側面収納槽L３内部にスピーカ装置Gを設置し、外部をカバーL３１で覆ったものである(図４も参照)。
【００３６】
この回路板Dは、マイクロプロセッサD１、伝送制御回路D２、制御ボタンD３、液晶モニタD４、ワイヤレス伝送回路D５、挿入槽D６、電源孔D７、伝送コネクタD８、ワイヤレス送受信器D９、伝送インターフェースD１０、接続器D１１を備え、そのうち、電源孔D７と接続器D１１はマルチメディア再生・アクセス機能付ペーパーホルダL本体上に設置される。
【００３７】
さらに、メモリカードIの規格に対応して複数組の挿入槽D６を設け、対応する規格のメモリカードIをそれぞれ接続し、且つ、上述のメモリカードI内部のデジタルファイルとマルチメディアファイルに対しアクセスと伝送を行う。
【００３８】
ワイヤレス伝送回路D５は、ワイヤレス送受信器D９に接続され、ワイヤレスネットワークJとワイヤレス送受信デバイスK間でワイヤレス信号J１を伝送し、デジタルファイルとマルチメディアファイルのアクセスと伝送を行う。
【００３９】
伝送コネクタD８はその一端が蓋体L１内部に設置され、別の一端が回路板D上に設置され、且つ、直接デジタル情報デバイスHと相互接続され、同時にデジタル情報デバイスH内部のデジタルファイルとマルチメディアファイルに対しアクセスと伝送を行う。
【００４０】
伝送インターフェースD１０は、データを保存するハードディスクFの規格に対応して接続し、且つ、ハードディスクF内部のデジタルファイルとマルチメディアファイルに対しアクセスと伝送を行う。  
【００４１】
伝送制御回路D２は、上述の挿入槽D６、ワイヤレス伝送回路D５、伝送コネクタD８、伝送インターフェースD１０と接続され、且つ、対応して接続されたメモリカードI、ワイヤレス受信器D９、デジタル情報デバイスH、ハードディスクF間でデジタルファイルとマルチメディアファイルのアクセスと伝送を行う。
【００４２】
液晶モニタD４は、上述の各アイテム間の接続状態と、上述の各アイテム間の対応するデータ処理機能を表示し、制御ボタンD３でデータ処理機能に対応して選択を行い、同時に、制御信号をマイクロプロセッサD１に伝送する。
【００４３】
マイクロプロセッサD１は、上述の回路板D内部構成部品間の制御信号、データ伝送信号及びデータの演算処理を行う。
【００４４】
また、タッチパネルEは、マルチメディア再生・アクセス機能付ペーパーホルダLと相互に接続し、固定するために用いるアームE１と、このアームE１前端に設置され、且つ、回路板Dとマルチメディア再生・アクセス機能付ペーパーホルダL本体上に設置された伝送接続器D１１と相互に接続する固定プラグE２を有する。
【００４５】
同時に、タッチパネルEは、上述のマイクロプロセッサD１と伝送制御回路D２と相互接続され、且つ、表示したデータ処理機能が対応する制御信号を上述のマイクロプロセッサD１内に伝送し、上述の伝送制御回路D２が伝送するデジタルファイルとマルチメディアファイルに対応して再生を行い、且つ、デジタルファイルとマルチメディアファイルをさらに上述の液晶モニタD４上に表示すると共に、音声のデジタルファイルとマルチメディアファイルはスピーカ装置Gで音声信号を再生する。
【００４６】
電源孔D７はAC/DCアダプタと相互に接続され、外部電源を回路板Dに送り、上述の回路板Dの作業電力を提供する。
【００４７】
図９に示すように(図４も参照)、メモリカードIはその規格に対応する挿入槽D６内に挿入され、また、デジタル情報デバイスHは接続槽L１１内部の伝送コネクタD８上に挿入され、且つ、USBメモリH１はその他伝送コネクタD８上に挿入される。
【００４８】
また、マルチメディア再生・アクセス機能付ペーパーホルダL内部の回路板Dには、ワイヤレス伝送回路D５とワイヤレス送受信器D９が設置されており、ワイヤレスネットワークJとワイヤレス送受信デバイスKを備えたパーソナルコンピュータK１などの設備とワイヤレス信号J１でデータ伝送とアクセスを行うことができる。
【００４９】
上述の接続において、タッチパネルEと制御ボタンD３を介し、デジタル情報デバイスH、USBメモリH１、メモリカードI、ワイヤレスネットワークJ、パーソナルコンピュータK１等の上述の各装置間でデータの変換やアクセス、編集、再生などの関連制御を行うことができ、同時に、マルチメディア再生・アクセス機能付ペーパーホルダ内部のハードディスクFは、伝送制御回路D２を介しさらに上述の接続された各装置とデータ伝送及びアクセスを行うことができる。さらに、タッチパネルEと液晶モニタD４は、再生するデジタルファイルとマルチメディアファイルの内容を表示でき、さらにスピーカ装置Gで音声信号を再生することができる。
【図面の簡単な説明】
【００５０】
【図１】従来のペーパーホルダの立体図である。
【図２】本考案の立体図である。
【図３】本考案の立体分解図である。
【図４】本考案の回路板の接続を示すダイアグラムである。
【図５】本考案の立体部分透視図である。
【図６】本考案の接続の実施を示す立体図である。
【図７】本考案の別の実施例を示す立体図である。
【図８】図７の実施例の立体分解図である。
【図９】図７の実施例の接続の実施を示す立体図である。
【符号の説明】
【００５１】
A          ペーパーホルダ
B          ロールペーパー
C、L      マルチメディア再生・アクセス機能付ペーパーホルダ
C１、L１        蓋体
C１１、L１１    接続槽
C２、L２        固定体
C３、L３        側面収納槽
C３１、L３１    カバー
D          回路板
D１        マイクロプロセッサ
D２        伝送制御回路
D３        制御ボタン
D４        液晶モニタ
D５        ワイヤレス伝送回路
D６        挿入槽
D７        電源孔
D８        伝送コネクタ
D９        ワイヤレス送受信器
D１０      伝送インターフェース
D１１      伝送接続器
D１２      サウンドソースプラグ
D１３      電池
E          タッチパネル
E１        アーム
E２        固定プラグ
F          ハードディスク
G          スピーカ装置
G１        接続端
H          デジタル情報デバイス
H１        USBメモリ
I          メモリカード
J          ワイヤレスネットワーク
J１        ワイヤレス信号
K          ワイヤレス送受信デバイス
K１        パーソナルコンピュータ
【図１】
0003115930.tif 000003
【図２】
0003115930.tif 000004
【図３】
0003115930.tif 000005
【図４】
0003115930.tif 000006
【図５】
0003115930.tif 000007
【図６】
0003115930.tif 000008
【図７】
0003115930.tif 000009
【図８】
0003115930.tif 000010
【図９】
0003115930.tif 000011
【手続補正書】
【提出日】平成17年8月25日(2005.8.25)
【手続補正１】
【補正対象書類名】実用新案登録請求の範囲
【補正対象項目名】請求項３
【補正方法】変更
【補正の内容】
【請求項３】
前記挿入槽が、関連情報デジタル保存メディアの規格フォーマット等のメモリカードの規格と互換性を持つよう対応して設置された請求項１に記載のマルチメディア再生・アクセス機能付ペーパーホルダ。
【手続補正２】
【補正対象書類名】実用新案登録請求の範囲
【補正対象項目名】請求項４
【補正方法】変更
【補正の内容】
【請求項４】
前記伝送コネクタをUSB接続ポート、IEEE１３９４、SATA及び関連するデジタルデータ伝送接続ポートとした請求項１に記載のマルチメディア再生・アクセス機能付ペーパーホルダ。
【手続補正３】
【補正対象書類名】実用新案登録請求の範囲
【補正対象項目名】請求項５
【補正方法】変更
【補正の内容】
【請求項５】
前記ワイヤレス伝送回路とワイヤレス送受信器が、異なるワイヤレス伝送信号に対応し、赤外線、ブルートゥース、FM、AM、GPRS、CDMA、GSM及び関連するワイヤレス信号伝送技術に応用される伝送信号を使用し、且つ、その対応して接続されたワイヤレスネットワークが、８０２.１１ワイヤレスネットワーク及び赤外線伝送ネットワーク、ブルートゥース伝送ネットワーク、上述のワイヤレス信号伝送技術ネットワーク及び関連するワイヤレス伝送方式で接続する広義のワイヤレスネットワークである請求項１に記載のマルチメディア再生・アクセス機能付ペーパーホルダ。
【手続補正４】
【補正対象書類名】実用新案登録請求の範囲
【補正対象項目名】請求項６
【補正方法】変更
【補正の内容】
【請求項６】
前記伝送インターフェースをハードディスクの規格に対応し、IDEインターフェース、SCSIインターフェース、SATAインターフェース及び関連するハードディスク伝送接続インターフェースとした請求項１に記載のマルチメディア再生・アクセス機能付ペーパーホルダ。
【手続補正５】
【補正対象書類名】明細書
【補正対象項目名】００３０
【補正方法】変更
【補正の内容】
【００３０】
そのうち、挿入槽D６は、登録商標CFカード(Compact Flash Memory Card)、Type-I CFカード(Compact Flash Memory Card)、Type-II
CFカード(Compact Flash Memory Card)、MSカード(Memory
Stick Memory Card)、MGMS(Magic
Gate Memory Stick Memory Card)、Dou-MSカード(Duo Memory Stick Memory Card)、Pro-MSカード(Pro
Memory Stick Memory Card)、MMCカード(Multi Media Memory Card)、MMC４.０カード(Multi
Media Memory Card Ver ４.０)、RSMMCカード(Reduced Size Multi Media Memory Card)、SDカード(Secure
Digital Memory Card)、Mini
SDカード(Mini Secure Digital Memory
Card)、SMカード(Smart Media（登録商標） Memory Card)、Xdカード(eXtreme Digital Picture Memory Card)と呼ばれるメモリカード及び関連する情報デジタル保存メディアの規格フォーマット等のメモリカードの規格と互換性を持つよう対応して設置する。